(57)【要約】【課題】障子を開く開度の調整が容易で、かつ意匠性を向上させた建具を提供すること。【解決手段】枠体２と、障子３と、枠体２及び障子３を連結する開閉アーム４とを備え、開閉アーム４は、枠体２又は障子３のいずれか一方に回動可能に取り付けられ、回動軸の延びる方向に対して直交する方向へ移動するアーム本体４０と、枠体２又は障子３のいずれか他方から突出する突出部４１と、障子３を開く角度を調節する操作部４３と、を有し、アーム本体４０は、障子３が第１開度θ１まで開くように突出部４１が内部をスライドする第１溝４５と、障子３が第１開度θ１よりも大きい第２開度θ２まで開くように突出部４１が内部をスライドする第２溝４６と、突出部４１の移動を規制する規制部４７と、を有し、操作部４３は、角度を調節するときに障子３の見込方向室内側の端部を越えて室内側に突出し、操作により規制部４７の規制を解除する、内倒し窓１である。【選択図】図５
2019167705.tif 000002
【特許請求の範囲】
【請求項１】
枠体と、室内側に開閉するように前記枠体の内周側に保持された障子と、を有する建具であって、
前記枠体及び前記障子を連結する開閉アームを備え、
前記開閉アームは、
前記枠体又は前記障子のいずれか一方に端部が回動可能に取り付けられ、前記障子を前記枠体に対して回動させる回動軸の延びる方向に対して直交する方向へ移動するアーム本体と、
前記枠体又は前記障子のいずれか他方から突出し、前記アーム本体に係合するともに前記アーム本体の移動に伴って移動可能な突出部と、
前記アーム本体に設けられ、前記障子を開く角度を調節するように操作する操作部と、を有し、
前記アーム本体は、
前記障子が第１開度まで開くように前記突出部が内部をスライドする第１溝と、
前記第１溝から連続して形成され、前記障子が前記第１開度よりも大きい第２開度まで開くように前記突出部が内部をスライドする第２溝と、
前記突出部の前記第１溝から前記第２溝への移動を規制する規制部と、を有し、
前記操作部は、前記角度を調節するときに、前記障子の見込方向室内側の端部を越えて室内側に突出し、操作により前記規制部による規制を解除する、建具。
【請求項２】
前記建具は、内倒し窓であって、
前記操作部は、前記障子を前記第１開度に開いた状態で前記障子の前記端部を越えた位置にあり、下から上に持ち上げて操作される、請求項１に記載の建具。
【請求項３】
前記アーム本体は、縦長に形成され、前記第１溝及び前記第２溝は長手方向に沿って延びるように形成され、
前記操作部は、見込方向に移動する、請求項１又は２に記載の建具。
【請求項４】
前記突出部は、前記障子の見付方向の一端側で見込方向に延びる側面の外側に形成され、
前記アーム本体は、前記枠体の見込面の内側に取付けられて見込方向室内側に延出するように移動可能であり、
前記アーム本体よりも見込方向の室外側のみに、前記障子及び前記枠体の間に形成される隙間を塞ぐ気密材が配置される請求項１〜３のいずれか１項に記載の建具。
【発明の詳細な説明】
【技術分野】
【０００１】
本発明は、建具に関する。
【背景技術】
【０００２】
従来、室内側へ開く障子を有する建具として、障子の框を見付方向の外側で枠体に開閉可能に連結した建具が知られている。また、枠体と障子との間を連結する開閉アームの移動を規制し、角度の開度を規制することで、障子を開く角度を段階的に調節することが知られている。具体的には、枠体と障子を連結する開閉アームを、開度が小さいか、障子を開いていない間は屈曲しており、開くにしたがって延伸するように構成し、屈曲端の上側に開度規制の操作部を配置した建具が提案されている（例えば、特許文献１参照）。
【先行技術文献】
【特許文献】
【０００３】
【特許文献１】特開２００８−８０９２号公報
【発明の概要】
【発明が解決しようとする課題】
【０００４】
操作部を枠体と障子を連結する開閉アームの屈曲端に設けると、操作は障子の横又は上から操作することとなる。しかし、障子の上下方向の寸法が大きい場合は、手が届かなかったり、横から手を伸ばして操作がしづらいという問題があった。また、操作部が屈曲端にあることで、障子の開閉時には常に視認可能な位置にあるため、意匠性向上の観点からも障害となっていた。
【０００５】
本発明は、障子を開く開度の調整が容易で、かつ意匠性を向上させた建具を提供することを目的とする。
【課題を解決するための手段】
【０００６】
本発明は、枠体（例えば、後述の枠体２）と、室内側に開閉するように前記枠体の内周側に保持された障子（例えば、後述の障子３）と、を有する建具（例えば、後述の内倒し窓１）であって、前記枠体及び前記障子を連結する開閉アーム（例えば、後述の開閉アーム４）を備え、前記開閉アームは、前記枠体又は前記障子のいずれか一方に端部が回動可能に取り付けられ、前記障子を前記枠体に対して回動させる回動軸の延びる方向に対して直交する方向へ移動するアーム本体（例えば、後述のアーム本体４０）と、前記枠体又は前記障子のいずれか他方から突出し、前記アーム本体に係合するともに前記アーム本体の移動に伴って移動可能な突出部（例えば、後述の突出部４１）と、前記アーム本体に設けられ、前記障子を開く角度を調節するように操作する操作部（例えば、後述の操作部４３）と、を有し、前記アーム本体は、前記障子が第１開度（例えば、後述の第１開度θ１）まで開くように前記突出部が内部をスライドする第１溝（例えば、後述の第１溝４５）と、前記第１溝から連続して形成され、前記障子が前記第１開度よりも大きい第２開度（例えば、後述の第２開度θ２）まで開くように前記突出部が内部をスライドする第２溝（例えば、後述の第２溝４６）と、前記突出部の前記第１溝から前記第２溝への移動を規制する規制部（例えば、後述の規制部４７）と、を有し、前記操作部は、前記角度を調節するときに、前記障子の見込方向室内側の端部を越えて室内側に突出し、操作により前記規制部による規制を解除する、建具に関する。
【０００７】
前記建具は、内倒し窓であって、前記操作部は、前記障子を前記第１開度に開いた状態で前記障子の前記端部を越えた位置にあり、下から上に持ち上げて操作されることが好ましい。
【０００８】
前記アーム本体は、縦長に形成され、前記第１溝及び前記第２溝は長手方向に沿って延びるように形成され、前記操作部は、見込方向に移動することが好ましい。
【０００９】
前記突出部は、前記障子の見付方向の一端側で見込方向に延びる側面（例えば、後述の中空部外側面３１３ａ）の外側に形成され、前記アーム本体は、前記枠体の見込面（例えば、後述の外側見込面２１１）の内側に取付けられて見込方向室内側に延出するように移動可能であり、前記アーム本体よりも見込方向の室外側のみに、前記障子及び前記枠体の間に形成される隙間を塞ぐ気密材（例えば、後述の気密材６）が配置されることが好ましい。
【発明の効果】
【００１０】
本発明によれば、障子を開く開度の調整が容易で、かつ意匠性を向上させた建具を提供することができる。
【図面の簡単な説明】
【００１１】
【図１】本実施形態の内倒し窓を示す正面図である。
【図２】本実施形態の内倒し窓の縦断面図である。
【図３】本実施形態の内倒し窓の横断面図である。
【図４】本実施形態の気密ピースを示し、（ａ）図は斜視図、（ｂ）図は、側面図、（ｃ）図は正面図である。
【図５】本実施形態の内倒し窓を開いた状態を示し、（ａ）図は第１開度、（ｂ）図は第２開度開いた状態を示す。
【図６】本実施形態のアーム本体の正面図である。
【発明を実施するための形態】
【００１２】
以下、本発明の実施形態について、図面を参照しながら詳細に説明する。
図１は、本実施形態の建具としての内倒し窓１を示す正面図である。内倒し窓１は、枠体２と、障子３と、枠体２及び障子３を連結する開閉アーム４と、障子３を閉じた状態で枠体２に係止させるラッチ機構５と、を有する。また、内倒し窓１の内部の各所には、気密材６（図２、図３参照）が配置され、室外側からの雨水や風等が室内に入りこむことを防止する。
【００１３】
枠体２は、建物の壁等に形成された開口部に取り付けられる。枠体２は、一対の縦枠２１と、上枠２２と、下枠２３とを有し、四角形に枠組みされる。
【００１４】
図２は、内倒し窓１の縦断面図である。
上枠２２は、図２に示すように、開口部の上部で見付方向に延びるように取り付けられる形材である。上枠２２は、上部が開放された断面視略コ字状の凹部を有し、開放された凹部側が建物の開口部に面し、凹部の底面側が枠体２の内周側を形成している。上枠２２の下端部からは、室内側延出片２２ａ及び室外側延出片２２ｂがそれぞれ下方に延びている。室内側延出片２２ａの下端部には第１気密材６１が、室外側延出片２３ｂには第２気密材６２が取り付けられる。なお、第１気密材６１〜第５気密材６５等の気密材６については後述する。
【００１５】
下枠２３は、下枠本体２３１と、支軸部２３２と、室外側垂壁部２３３とを有する。
下枠本体２３１は、開口部の下部で見付方向に延び、断面視略四角形に形成される。
支軸部２３２は、下枠本体２３１の上面から上方に向かって折れ曲がりながら延び、先端が曲面を形成するように曲げられている。この曲面の上表面が、障子３を回動可能に軸支する。支軸部２３２は、下枠本体２３１に沿って見付方向に延びる。
室外側垂壁部２３３は、下枠本体２３１の室外側の面の上端部からさらに上方に突出するとともに、下枠本体２４１の室外側の面の下端部を越えて下垂し、室外側へ屈曲する。室外側垂壁部２３３の上端には、障子３との間の隙間を封止する第５気密材６５が取り付けられる。室外側垂壁部２３３の下端部は、上枠２２の最も室外側の面から下方に延ばした仮想延長線上で上方に向かって屈曲する。室外側垂壁部２３３の下端部は、障子３と接触しておらず、障子３の下端部との間に隙間Ｓを空けて配置されている。
【００１６】
図３は、内倒し窓１の横断面図である。
一対の縦枠２１は、図３に示すように、内倒し窓１の見付方向の両端部に配置される。縦枠２１は、外側見込面２１１と、室外側見付面２１２と、室外側延出片２１３と、室内側見付面２１４と、を有する。
【００１７】
外側見込面２１１は、縦枠２１の見込方向一杯に延びる平坦な面である。外側見込面２１１は、内倒し窓１の見込方向の寸法を規定する。
【００１８】
室外側見付面２１２は、外側見込面２１１の室外側の端部から室内側に向かって延びる延出面である。室外側見付面２１２の先端部には、障子３との間を封止する第３気密材６３が取り付けられている。
【００１９】
室外側延出片２１３は、外側見込面２１１から見付方向内側に向かって延び、かつ、室外側見付面２１２と略平行に配置される。室外側延出片２１３の先端部には、障子３との間を封止する第４気密材６４が取り付けられている。
【００２０】
室内側見付面２１４は、外側見込面２１１の室内側の端部から見付方向外側に向かって延出する。
【００２１】
障子３は、室内側に開閉するように枠体２の内周側に保持され、室内側へ向かって開閉可能に取り付けられる。障子３は、ガラス３５及びガラス３５の周囲に配置される框３０を有し、内部に気密材６及び気密ピース６０が取付けられる。
【００２２】
ガラス３５は、正面視同形の室外側ガラス３５ａ及び室内側ガラス３５ｂが、見込方向に間隔を空けて配置される複層ガラスである。室外側ガラス３５ａ及び室内側ガラス３５ｂの間には、スペーサー３５ｃが配置されている。
【００２３】
框３０は、一対の縦框３１と、上框３２と、下框３３と、ガラス保持溝３６を有する。一対の縦框３１、上框３２及び下框３３は、枠体２の内周側に配置され、四角形に枠組みされる。
【００２４】
ガラス保持溝３６は、一対の縦框３１、上框３２、下框３３で構成される框３０の枠の内周側に形成される。ガラス保持溝３６は、以下に説明するように縦框３１、上框３２、下框３３の一部が内周方向に開口した凹部により形成され、内部にガラス３５を保持する。
【００２５】
図１及び図２に示すように、上框３２は、内倒し窓１の上部で水平方向に延び、上枠２２の下部に配置される。上框３２は、室内側上縁部３２１及び室外側上縁部３２２を有する。
【００２６】
室内側上縁部３２１は、上框３２の室内側に配置される部分である。室内側上縁部３２１は、見付方向に長く延び、断面視略四角形で内部が中空に形成される。室内側上縁部３２１の室内側面は平坦である。
【００２７】
室外側上縁部３２２は、上框３２の室外側に配置される部分である。室外側上縁部３２２は、下方に向かって開放された凹部で形成されるガラス保持溝３６を有する。室外側上縁部３２２の上部には、上方に向かって延びる突起部３２２ａが設けられており、上枠２２の室内側延出片２２ａの下端部に取り付けられた第１気密材６１が当接する。また、室外側上縁部３２２の最も室外側の端部には、上枠２２の室外側延出片２２ｂの下端部に取り付けられた第２気密材６２が当接する。
【００２８】
下框３３は、内倒し窓１の下部で水平方向に延び、下枠２３の上部に配置される。下框３３は、下押縁部３３１、室外側下縁部３３２、下框中空部３３３及びヒンジ部３３４を有する。
【００２９】
下押縁部３３１は、見付方向に長く延び、上框３２の室内側上縁部３２１に対応する見付方向の長さ及び見込方向の奥行を有する。下押縁部３３１は、その室外側面が、ガラス保持溝３６に対面するように配置される。
【００３０】
室外側下縁部３３２は、下框３３の室外側に配置される部分である。室外側下縁部３３２は、上方に開放された凹部で形成されるガラス保持溝３６を有する。室外側下縁部３３２の室外側面は、平坦な面が下垂するように形成され、その下端部が下枠２３の室外側垂壁部２３３の下端部との間に隙間Ｓを有するように配置されている。この隙間からは、内倒し窓１内に進入した水等が排水される。
【００３１】
下框中空部３３３は、下押縁部３３１及び室外側下縁部３３２の下方で、下押縁部３３１及び室外側下縁部３３２の境界部に跨って配置される中空の部分である。下框中空部３３３の室外側の端部は、下枠２３の室外側垂壁部２３３の上端部と対向し、室外側垂壁部２３３に取り付けられた第５気密材６５が当接する。
【００３２】
ヒンジ部３３４は、下框中空部３３３の室内側の端部に設けられる断面視半円形の凹部３３４ａと、凹部の室内側の端部から室外側に向かって平坦に延びる爪部３４３ｂとを有する。ヒンジ部３３４は、見付方向に延び、下枠２３から上方に延び凹部３３４ａ内に嵌め込まれる支軸部２３２に係合して、障子３が室内外に回動する際の回動支点となる。
【００３３】
図３に示すように、一対の縦框３１は、框３０の見付方向の両側で上下方向に延びる部分である。縦框３１は、縦押縁部３１１と、室外側側縁部３１２と、中空部３１３と、を有する。
【００３４】
縦押縁部３１１は、上下方向に長く延び、上框３２の室内側上縁部３２１及び下框３３の下押縁部３３１に対応する見込方向の奥行を有する。
【００３５】
室外側側縁部３１２は、縦押縁部３１１の室外側に形成され、見付方向の内側に開放された凹部で形成されるガラス保持溝３６を有する。図３に示すように、室外側側縁部３１２の室外側面の見付方向外側の端部には、縦枠２１の室外側見付面２１２の見付方向の内側の端部に取り付けられた第３気密材６３が当接している。
【００３６】
中空部３１３は、縦枠２１におけるガラス保持溝３６の見付方向外側、詳細には、縦押縁部３１１及び室外側側縁部３１２の見付方向の外側面に位置する。中空部３１３は、縦押縁部３１１及び室外側側縁部３１２の境界部に跨って配置される中空の部分である。中空部３１３は、断面視が見込方向に長い長方形に形成され、中空部外側面３１３ａと、突起部３１３ｂと、室外側見付面３１３ｃと、を有する。
【００３７】
中空部外側面３１３ａは、中空部３１３の見付方向外側で、見込方向に延びる。この中空部外側面３１３ａには、後述する開閉アーム４が取り付けられる。
【００３８】
突起部３１３ｂは、中空部３１３の見付方向内側の側面、すなわち中空部外側面３１３ａに対向する内側の側面に、室内側と室外側に形成される。各突起部３１３ｂは、見付方向内側に向かって突出した後、見込方向室外側、室内側それぞれに向かって屈曲する。突起部３１３ｂは、縦押縁部３１１の端部が係合することで、縦押縁部３１１が中空部３１３及び室外側側縁部３１２と連結される。
【００３９】
室外側見付面３１３ｃは、中空部３１３の見込方向室外側に延びる短手方向の側縁である。室外側見付面３１３ｃに対して、縦枠２１の室外側延出片２１３から延びる第４気密材６４が当接している。室外側見付面３１３ｃは、図３に示すように、ガラス３５の室外側ガラス３５ａと室内側ガラス３５ｂの間の位置から見付方向外側に離間した位置に配置されている。
【００４０】
気密材６は、上述の通り、第１気密材６１、第２気密材６２、第３気密材６３、第４気密材６４及び第５気密材６５を含む。これら各気密材６１〜６５は、図２及び図３に示すように、それぞれガラス保持溝３６の室内側の端部及び後述する開閉アーム４よりも室外側にのみに位置し、縦枠２１の見付方向の両側に配置される気密材６（第３気密材６３同士、第４気密材６４同士）を結んで形成される気密ラインを形成している。気密材６は、上述の通り、枠体２及び障子３の間に配置され、枠体２と障子３との間に形成される隙間を塞ぐゴム等の可撓性部材により形成される。
【００４１】
第１気密材６１は、図２に示すように、上枠２２の室内側延出片２２ａの下端部に係止される係止部６１ａと、上框３２の室外側上縁部３２２の突起部３２２ａに当接する当接部６１ｂとを有する。
第５気密材６５は、下枠２３の室外側垂壁部２３３の上端部に係止される係止部６５ａと、下框３３の下框中空部３３３の室外側の端部に当接する当接部６５ｂとを有する。第１気密材６１及び第５気密材６５は、水滴とともに内倒し窓１内を室内外方向に流通する空気を封止する気密材である。
【００４２】
第２気密材６２は、上枠２２の室外側延出片２２ｂの下端部に係止される係止部６２ａと、係止部６２ａから上框３２の室外側上縁部３２２の最も室外側に位置する端部まで延びるヒレ部６２ｂを有する。
第３気密材６３は、図３に示すように、縦枠２１の室外側見付面２１２の室内側面に係止される係止部６３ａと、係止部６３ａから縦框３１の室外側側縁部３１２の最も室外側に位置する端部まで延びるヒレ部６３ｂを有する。第２気密材６２及び第３気密材６３は、室外からの水の侵入を防止する水切材である。
【００４３】
第４気密材６４は、縦枠２１の室外側延出片２１３の室内側面に係止される係止部６４ａと、係止部６４ａから縦框３１の中空部３１３の室外側見付面３１３ｃに当接する当接部６４ｂとを有する。第３気密材６３及び第４気密材６４は、見込方向に重なる位置に位置しており、ともに開閉アーム４の移動軌跡に干渉せず開閉アーム４よりも室外側に位置している。
【００４４】
図４（ａ）は気密ピース６０の斜視図であり、図４（ｂ）は、気密ピース６０の側面図であり、図４（ｃ）は、気密ピース６０の正面図である。気密ピース６０はゴム等の弾性部材で形成され、下押縁部３３１と室外側下縁部３３２内のガラス保持溝３６との間に配置される。
【００４５】
気密ピース６０は、図４（ａ）〜図４（ｃ）に示すように、正面視で略長方形で、背面６０２が平坦な面で、表面６０１に傾斜及び段差が形成された部品である。
詳細には、図４（ｂ）に示すように、気密ピース６０の短手方向の一方の端部から中央部側に向かって傾斜面６０１ａが形成され、傾斜面６０１ａの他方の端部から背面６０２と平行な平坦面６０１ｂが延出し、気密ピース６０の短手方向の他方の端部側は四角く切り欠かれた切欠き部６０１ｃが形成されている。
【００４６】
図３に示すように、気密ピース６０の切欠き部６０１ｃは、中空部３１３から突出する突起部３１３ｂが屈曲することで形成される突起部３１３ｂの端部と中空部３１３の見込面との間に嵌り込んで設置される。このとき、平坦面６０１ｂは、突起部３１３ｂの見付方向内側の面と面一となり、縦押縁部３１１の室外側端部が配置される位置まで延びる。気密ピース６０は、縦押縁部３１１と、室外側側縁部３１２及び中空部３１３との間の隙間に圧入される。
【００４７】
ラッチ機構５は、内倒し窓１の上部における見付方向の中央部に配置され、障子３を枠体２に係止させる。ラッチ機構５は、係合受け部５１と、ラッチ部５０とにより構成される。
【００４８】
係合受け部５１は、上枠２２の下面に固定される。係合受け部５１は、上枠２２の下面とから間を空けて下方に突出し、係合孔５１３が形成される係合部５１２を有する。
【００４９】
ラッチ部５０は、上框３２の室内側上縁部３２１内に配置される。ラッチ部５０は、ハウジング５２及びハウジング５２内に配置される爪部５５１を含む部品を有する。ラッチ部５０には、爪部５５２をハウジング５２の上部から突出させたり、ハウジング５２内に収容させたりすることが可能な機構が形成されている。爪部５５１がハウジング５２から突出し、上框３２の室内側上縁部３２１から突出すると、係合受け部５１の係合部５１２に係合する。爪部５５１が係合部５１２に係合することで、障子３が枠体２にロックされ、係合が外れると、障子３が開閉可能に移動できる状態になる。
【００５０】
図２に戻って、開閉アーム４は、気密材６よりも室内側で枠体２及び障子３を連結し、枠体２から障子３を室内側方向に傾斜させながら開く金具である。本実施形態では、開閉アーム４は、見付方向の一方と他方で構成が異なる。見付方向の一方側、図２における左側では、開閉アーム４は、枠体２と障子３とを連結しているのみで、開度調整機構は形成されていない。見付方向の他方側、図２における右側では、開閉アーム４に、開度調整機構が形成されている。
【００５１】
まず、見付方向の一方側に配置される開度調整機構が配置されていない開閉アーム４について説明する。
開閉アーム４は、障子側連結部４１０と、アーム本体４００と、枠体側取付部４２０と、を有する。
障子側連結部４１０は、中空部３１３の中空部外側面３１３ａに取り付けられる。
アーム本体４００は、一端が障子側連結部４１０と回動可能に連結され、見付方向室内側に移動可能な細長い部材である。
枠体側取付部４２０は、枠体２の外側見込面２１１における内面側で、見込方向の中央部に取り付けられる。枠体側取付部４２０は、見付け方向に延びる軸部４２１を有し、軸部４２１が回動可能にアーム本体４００の他端に接続される。
アーム本体４００は、障子３を閉じている間は、長手方向が縦枠２１の長手方向に沿うように位置している。アーム本体４００は、障子３を開くにしたがって一端が枠体側取付部４２０から遠ざかるように見込方向室内側へ傾斜する。
【００５２】
図５（ａ）及び図５（ｂ）は、障子３が第１開度θ１開いた状態を示し、図５（ａ）は、見付方向の他端側の横断面、図５（ａ）は縦断面を示す。図５（ｃ）及び図５（ｄ）は、障子３が第２開度θ２開いた状態を示し、図５（ｃ）は、見付方向の他端側の横断面、図５（ｄ）は縦断面を示す。また、図６は、本実施形態のアーム本体４０の平面図である。
次に、見付方向の他方側に配置される開度調整機構が形成された開閉アーム４について説明する。開閉アーム４は、突出部４１と、アーム本体４０と、枠体側取付部４２と、を有する。
【００５３】
突出部４１は、中空部外側面３１３ａの見付方向外側に形成され、外側に向かって突出する突起である。突出部４１は、略円筒形状を有し、見付方向外側の端部の近傍に、径が他の部分よりも小さい小径部４１ａが形成され、この小径部４１ａが次に説明するアーム本体４０に係合する。
【００５４】
枠体側取付部４２は、縦枠２１における外側見込面２１１の内側に配置され、見込方向内側に突出する突起である。枠体側取付部４２は、略円筒形状を有し、見付方向外側の端部の近傍に、径が他の部分よりも小さい小径部４２ａが形成され、この小径部４２ａが次に説明するアーム本体４０に係合する。
【００５５】
アーム本体４０は、枠体２の外側見込面２１１の見付方向内側の面に取り付けられ、見込方向室内側に延出するように移動する。図６に示すように、アーム本体４０は、縦長に形成され、平坦な板状である。アーム本体４０は、角が丸められた細長い台形に近く、平行に延びる二本の上底、下底の辺４０ａと、これらの二本の辺４０ａを結ぶ対辺４０ｂがそれぞれ一方から他方に向かって広がるような形状をしている。また、アーム本体４０の下底の辺４０ａの片側の端部は、下方に向かって突出している。アーム本体４０は、第１溝４５と、第２溝４６と、規制部４７と、枠体取付孔４８と、操作部４３と、を有し、これらが開度調整機構を構成している。
【００５６】
枠体取付孔４８は、略台形のアーム本体４０における下底と対辺とで形成される角の付近に形成される円形の貫通孔である。枠体取付孔４８は、アーム本体４０が枠体側取付部４２に取り付けられる際に、枠体側取付部４２の小径部４２ａが挿通する穴である。以下の説明において、アーム本体４０における枠体取付孔４８が形成される側を、基端とする。枠体取付孔４８を介して、アーム本体４０の端部が、枠体２の枠体側取付部４２に回動可能に取り付けられる。
【００５７】
第１溝４５は、アーム本体４０長手方向に沿って延びるように形成される。詳細には、第１溝４５は、アーム本体４０の基端側から長手方向の略中央部まで、上底の辺４０ａに沿って略直線状に延びる溝である。第１溝４５の幅は、突出部４１の小径部４１ａが挿通可能な幅であるとともに、突出部４１の小径部４１ａ以外の部分の径よりも小さい。第１溝４５の基端及び終端は、略円筒形の突出部４１の小径部４１ａに適合するように半円形状になっている。第１溝４５は、後述する第１開度θ１まで障子３が開くように、突出部４１が内部をスライドする溝である。
【００５８】
第２溝４６は、アーム本体４０長手方向に沿って延びるように形成される。詳細には、第２溝４６は、第１溝４５におけるアーム本体４０の長手方向の略中央部寄りの終端から、アーム本体４０の先端側に向かって延びる溝である。第２溝４６は、アーム本体４０の先端側の対辺４０ｂに沿って傾斜するように延びる。また、第２溝４６は、第１溝４５から連続して形成されているが、第１溝４５の終端と第２溝４６の基端はずれている。第２溝４６の基端は、第１溝４５の終端よりも下方の基端よりから始まっている。第２溝４６は、後述する第２開度θ２まで障子３が開くように、突出部４１がスライドする溝である。
【００５９】
規制部４７は、第１溝４５の終端の上方の略半円部分に配置される。規制部４７は、第１溝４５の終端が、第２溝４６の基端と重なっていることで途切れる上部の四半円により構成される。規制部４７は、突出部４１が第１溝４５から第２溝４６に移動することを規制する。
【００６０】
操作部４３は、アーム本体４０の先端側、すなわち第２溝４６の終端側に配置される。操作部４３は、アーム本体４０の先端側の下底の辺４０ａから下方に突出した部分に形成される。また、操作部４３は、アーム本体の先端側の対辺４０ｂの下方が、下底の辺４０ａ側に向かって直線的に延び、室内側に鋭角で突出しないようになっている。操作部４３は、アーム本体４０の移動に伴って見込方向に移動する。
【００６１】
図２及び図３に示すように、アーム本体４０は、障子３を閉じている間は、長手方向が縦枠２１の長手方向に沿うように位置しており、枠体側取付部４２が室外側、障子３から突出する突出部４１が室内側に位置してアーム本体４０を介して障子３及び枠体２が連結されている。
【００６２】
図５（ａ）及び図５（ｂ）に示すように、障子３を室内側に倒すと、障子３を枠体２に対して回動させる障子３の回動軸となるヒンジ部３３４の延びる方向に対して直交する見込方向室内側に、アーム本体４０が延出するように移動する。また、アーム本体４０の移動に伴って、突出部４１がアーム本体４０の長手方向に沿って第１溝４５内をスライド移動する。突出部４１が規制部４７に至ると、アーム本体４０が第１溝４５の終端の上側の半円部分に形成される規制部４７に係止されて停止する。この状態が第１開度θ１開いた状態である。第１開度θ１は、障子３を開く角度が、閉じた状態から２０度〜４０度の間、好ましくは３０度程度である。
【００６３】
アーム本体４０が室内側に移動する間、図５（ｂ）に示すように、第２溝４６の終端側及び操作部４３は、障子３の縦枠２１の見込方向室内側の端部を越えて室内側に突出する。操作部４３は、障子３を第１開度θ１に開いた状態で、障子３の見込方向室内側の端部を越えた位置にある。使用者が、障子３を開く角度をさらに大きく開くよう調節したいと思った場合、この状態で操作部４３を、下から上に持ち上げる操作を行う。すると、規制部４７に係止されていた突出部４１が、図５（ｃ）及び図５（ｄ）に示すように、アーム本体４０が上方に持ち上げられた操作により、第１溝４５の終端から第２溝４６の基端へ移動し、規制部４７による規制が解除される。突出部４１は、その後、第２溝４６を先端側へスライド移動する。このように、操作部４３を操作して、障子３を開く角度を調節する。
【００６４】
突出部４１は、第２溝４６の先端側で止まる。この状態が第２開度θ２開いた状態である。第２開度θ２は、第１開度θ１よりも大きく、４０度〜６０度の間、好ましくは５０度程度である
【００６５】
障子３を閉めたいと思った場合は、障子を室外側に押すことで突出部４１は第２溝４６及び第１溝を４５基端側へ移動する。突出部４１が下方から上方に向かう際には、規制部４７で係止することはないので、アーム本体４０はスムーズに復帰する。
【００６６】
本実施形態によれば、以下の効果が奏される。
本実施形態では、枠体２と、室内側に開閉するように枠体２の内周側に保持された障子３と、を有する内倒し窓１を、枠体２及び障子３を連結する開閉アーム４を含んで構成した。また、開閉アーム４を、枠体２に端部が回動可能に取り付けられ、障子３を枠体２に対して回動させる回動軸の延びる方向に対して直交する方向へ移動するアーム本体４０と、障子３から突出し、アーム本体４０に係合するともにアーム本体４０の移動に伴って移動可能な突出部４１と、アーム本体４０に設けられ、障子３を開く角度を調節するように操作する操作部４３と、を含んで構成した。また、アーム本体４０を、障子３が第１開度まで開くように突出部４１が内部をスライドする第１溝４５と、第１溝４５から連続して形成され、障子３が第１開度θ１よりも大きい第２開度θ２まで開くように突出部４１が内部をスライドする第２溝４６と、突出部４１の第１溝４５から第２溝４６への移動を規制する規制部４７と、を含んで構成した。また、操作部４３は、角度を調節するときに、障子３の見込方向室内側の端部を越えて室内側に突出し、操作により規制部４７による規制を解除するようにした。
【００６７】
これにより、障子３を開く角度を調節するときに、操作部４３が手前に出てくるので障子３を開く角度を調節する操作がしやすい。特に、枠体２や障子３の寸法が大きくても、操作がしやすいので、内倒し窓１の寸法を自在に変えることが可能である。また、障子３を閉じている間、及び障子３の開き始めに、枠体２と障子３の間から操作部４３が視認されないことに加え、開度が最大になった状態でも操作部４３は視認されない。このため、必要なときにのみ操作部４３が視認されるので、操作性とともに意匠性が向上する。また、アーム本体に第１溝４５と、第２溝４６と、規制部４７と、操作部４３とを設けたので、障子３の開閉を操作するための別途の部材を追加する必要がなく、部品点数を低減できるとともに製造工程数を簡略化することができる。
【００６８】
本実施形態では、建具を、内倒し窓１により構成し、操作部４３を、障子３を第１開度θ１に開いた状態で障子３の端部を越えた位置に位置させ、下から上に持ち上げて操作した。これにより、枠体２と障子の間の狭い隙間に手を入れる等して操作する必要がなく、手前に突出した操作部を持ち上げればよいので、操作感がよく、少し開いたときに特に開けやすい。
【００６９】
本実施形態では、アーム本体４０を、縦長に形成し、第１溝４５及び第２溝４６を長手方向に沿って延びるように形成し、操作部４３を、見込方向に移動させた。これにより、内倒し窓１においてアーム本体４０を室外側から室内側へ移動させやすくなるとともに、操作部４３が見込方向に移動することで操作が容易になる。
【００７０】
本実施形態では、突出部４１を、障子３の見付方向の一端側で見込方向に延びる室外側見付面３１３ｃの外側に形成し、アーム本体４０を、枠体２の外側見込面２１１の内側に取付けて見込方向室内側に延出するように移動させた。また、アーム本体４０よりも見込方向の室外側のみに、障子３及び枠体２の間に形成される隙間を塞ぐ気密材６を配置させた。これにより、内倒し窓１の室外側に配置された気密材６により、室外側から流入する雨水や風を防ぐことができるので、気密材６よりも室内側に配置した開閉アーム４を構成する金具等が保護され、耐久性が向上する。
【００７１】
以上、本発明の好ましい実施形態について説明したが、本発明は、上述の実施形態に制限されるものではなく、適宜変更が可能である。
上記実施形態では、アーム本体４０は、縦枠２１の枠体側取付部４２に取り付けられて室内側へ開くが、これに限られない。例えば、アーム本体の端部を障子に回動可能に取り付け、アーム本体に係合するとともにアーム本体の移動に伴って移動可能な突出部を、枠体から突出させて、室内側へ開くように構成してもよい。また、例えば、障子の回動軸が上下方向に延びており、開閉アームが下枠又は上枠に取り付けられて、水平方向に回動移動するように構成されてもよい。
【００７２】
また、上記実施形態では、枠体２と障子３を連結する見付方向の両端に配置された開閉アーム４のうち、片側のみ開度調整機構を有するアーム本体４０を配置したが、これに限られない。見付方向の両端側に開度調整機構を有するアーム本体４０を配置してもよい。
【符号の説明】
【００７３】
１    内倒し窓（建具）
２    枠体
３    障子
４    開閉アーム
６    気密材
４０  アーム本体
４１  突出部
４３  操作部
４５  第１溝
４６  第２溝
４７  規制部
θ１  第１開度
θ２  第２開度
【図１】
2019167705.tif 000003
【図２】
2019167705.tif 000004
【図３】
2019167705.tif 000005
【図４】
2019167705.tif 000006
【図５】
2019167705.tif 000007
【図６】
2019167705.tif 000008